(57)【特許請求の範囲】
【請求項１】
昇降路内に設置されるエレベータかごの上方に最小限の安全な作業領域を維持するためのかご止めであって、
前記エレベータかごの上面に枢動可能に取り付けられるように構成された第１の端部と、第２の端部と、をそれぞれが有する複数の脚部材と、
それぞれの前記脚部材の前記第２の端部に固定されるように構成された横材と、
前記昇降路の最上部に近接して設置され、複数のガイドレールに固定された機械取り付け台に固定されるように構成された複数の取り付けブラケットと
を備えており、
前記複数の脚部材は、前記横材が前記エレベータかごの前記上面に近接している第１の位置と、前記横材が前記複数の取り付けブラケットに近接している第２の位置との間で枢動するように構成されており、
前記かご止めの機械的強度は、前記複数の脚部材が前記第２の位置にあるときに、前記エレベータかごの上昇移動を制止するのに十分である、
かご止め。
【請求項２】
前記取り付けブラケットのそれぞれが、取り付けブラケット接触面を備えており、
前記横材が、複数の横材接触面を備えており、
前記取り付けブラケット接触面が、前記複数の脚部材が前記第２の位置にあるとき、対応する前記横材接触面の１つと接触するように構成されている、請求項１に記載のかご止め。
【請求項３】
前記複数の脚部材のそれぞれを前記エレベータかごに枢動可能に取り付ける複数の取り付け部材をさらに備えている、請求項１に記載のかご止め。
【請求項４】
エレベータシステムであって、
エレベータかごと、
前記エレベータかごの移動を案内する少なくとも１つのガイドレールと、
前記少なくとも１つのガイドレールの最上部付近で前記少なくとも１つのガイドレール上に取り付けられた機械取り付け台と、
前記エレベータかご上で支持されたかご止めと
を備えており、前記かご止めは、前記かご止めが、前記エレベータかごが最高垂直位置に移動することを許可する第１の位置と、前記かご止めが前記機械取り付け台と接触するように設けられ、前記エレベータかごが前記最高垂直位置に到達するのを防止する第２の位置との間を選択的に動くことができ、
前記かご止めが、複数の概ね平行の脚および前記脚に対して概ね垂直な横材を備えており、前記横材が、各脚の端部付近で前記脚に連結しており、前記横材が、前記かご止めが前記第２の位置にあるとき、前記機械取り付け台と接触する接触面を有する、エレベータシステム。
【請求項５】
前記横材の前記接触面上に少なくとも１つのパッドを含んでおり、前記パッドが、前記かご止めが前記第２の位置にあるとき、前記機械取り付け台と接触するように構成されている、請求項４に記載のエレベータシステム。
【請求項６】
前記少なくとも１つのパッドが、前記横材の隣接部分とは可視的に異なっていて、前記かご止めが前記機械取り付け台と接触する箇所の可視的な表示を提供する、請求項５に記載のエレベータシステム。
【請求項７】
前記脚が、前記第２の位置では概ね垂直であり、前記第１の位置では概ね水平である、請求項４に記載のエレベータシステム。
【請求項８】
前記ガイドレールを複数備え、前記エレベータかごの２つの反対向きの面のそれぞれの近くに、少なくとも１つのガイドレールがそれぞれ設けられており、
前記機械取り付け台が、前記ガイドレールに対して概ね垂直なベッドプレートを備えており、
前記横材が、前記ベッドプレートに概ね平行である、
請求項４に記載のエレベータシステム。
【請求項９】
前記機械取り付け台が、ベッドプレートと、前記機械取り付け台を前記少なくとも１つのガイドレールに固定する少なくとも１つのブラケットと、を備えており、
前記横材が、前記かご止めが前記第２の位置にあるとき、前記少なくとも１つのブラケットと接触する接触面を有する、
請求項４に記載のエレベータシステム。
【請求項１０】
前記エレベータかごの移動を制御する制御装置と、
前記かご止めが前記第２の位置にあるときに前記制御装置に指示を提供するインジケータと
を備えている、請求項４に記載のエレベータシステム。
【請求項１１】
前記インジケータが前記指示を提供しているとき、前記制御装置が、前記エレベータかごを点検モードで移動させる、請求項１０に記載のエレベータシステム。
【請求項１２】
前記インジケータが前記指示を提供しているとき、前記制御装置が、前記エレベータかごが移動するのを防止する、請求項１０に記載のエレベータシステム。
【請求項１３】
前記エレベータかごが、昇降路の中にあり、前記かご止めが、前記エレベータかごに対して、前記昇降路の外にいる人が前記かご止めを前記第１の位置と第２の位置との間を手動で移動させることができる位置にある、請求項４に記載のエレベータシステム。
【請求項１４】
前記かご止めが前記第１の位置にあるとき、防振部材が前記エレベータかごと前記かご止めとの間にあるような位置で前記かご止めに固定される前記防振部材を含んでいる、請求項４に記載のエレベータシステム。
【発明の詳細な説明】
【技術分野】
【０００１】
エレベータシステムは、通常、定期点検および保守管理を行なう必要がある。歴史的に、エレベータの機械および制御装置などのエレベータシステム構成要素は、エレベータ昇降路の上方に構築される機械室の中に設置されていた。こうした構成要素の点検および保守管理は、整備員または技術者によって、機械室の内部で行なうことができた。機械室のないエレベータシステムが導入されると、以前機械室の中に設置されていた構成要素が、今では昇降路の中に設置されるようになった。こうした構成要素の配置移動には多くの利点があるが、整備員または技術者は、今日では昇降路の中で構成要素に接近する必要があるため、点検および保守管理作業がより困難で危険なものになった。昇降路内から点検および保守管理手順を実行することに関連した特別な留意事項に対処するために、さまざまな技術および装置が提案されてきた。
【背景技術】
【０００２】
例えば、エレベータかごの上面と昇降路の天井との間に適切な空間を維持するためにさまざまな装置が提案されてきた。装置例は、米国特許第６，４８１，５３４号および同第７，２８１，６０９号、および米国特許出願公開第２００９／０１８３９５５号および同２０１０／０１５５１８４号に示される。さらに、その他にも装置が提案されてきた。
【発明の概要】
【課題を解決するための手段】
【０００３】
昇降路内に設置されるエレベータかごの上方に最小限の安全な作業領域を維持するための例示的なかご止めは、エレベータかごの上面に枢動可能に取り付けられるように構成された第１の端部と、第２の端部と、をそれぞれが有する複数の脚部材と、それぞれの脚部材の第２の端部に固定されるように構成された横材と、昇降路の最上部に近接して設置され、複数のガイドレールに固定された機械取り付け台に固定されるように構成された複数の取り付けブラケットとを含んでいる。複数の脚は、横材がエレベータかごの上面に近接している第１の位置と、横材が複数の取り付けブラケットに近接している第２の位置との間で枢動するように構成されている。システムの機械的強度は、複数の脚が第２の位置にあるときに、エレベータかごの上昇移動を制止するのに十分である。
【０００４】
上記かご止めの１つ以上の特徴を有する１つの例示的なかご止めでは、取り付けブラケットのそれぞれは、取り付けブラケット接触面を備えており、横材は、複数の横材接触面を備えており、取り付けブラケット接触面は、複数の脚が第２の位置にあるとき、対応する横材接触面の１つと接触するように構成されている。
【０００５】
上記かご止めの１つ以上の特徴を有する１つの例示的なかご止めは、複数の脚のそれぞれをエレベータかごに枢動可能に取り付ける複数の取り付け部材を含んでいる。
【０００６】
例示的なエレベータシステムは、エレベータかごと、エレベータかごの移動を案内するように位置する少なくとも１つのガイドレールと、ガイドレールの最上部付近でガイドレールによって少なくとも部分的に支持された機械取り付け台と、エレベータかご上で支持されたかご止めとを含んでいる。かご止めは、第１の位置と第２の位置との間を選択的に動くことができる。第１の位置では、かご止めは、エレベータかごが最高垂直位置に移動することを許可する。第２の位置では、かご止めは、機械取り付け台と接触するように設けられ、エレベータかごが最高垂直位置に到達するのを防止する。
【０００７】
上記エレベータシステムの１つ以上の特徴を有する１つの例示的なエレベータシステムにおいて、かご止めは、複数の概ね平行な脚および脚に対して概ね垂直な横材を備えている。横材は、各脚の端部付近で脚に連結している。横材は、かご止めが第２の位置にあるとき、機械取り付け台と接触する接触面を有する。
【０００８】
上記エレベータシステムの１つ以上の特徴を有する１つの例示的なエレベータシステムは、横材の接触面上に少なくとも１つのパッドを含んでいる。パッドは、かご止めが第２の位置にあるとき、機械取り付け台と接触するように構成されている。
【０００９】
上記エレベータシステムの１つ以上の特徴を有する１つの例示的なエレベータシステムにおいて、少なくとも１つのパッドは、横材の隣接部分とは可視的に異なっていて、かご止めが機械取り付け台と接触する箇所の可視的な表示を提供する。
【００１０】
上記エレベータシステムの１つ以上の特徴を有する１つの例示的なエレベータシステムにおいて、脚は、第２の位置では概ね垂直であり、第１の位置では概ね水平である。
【００１１】
上記エレベータシステムの１つ以上の特徴を有する１つの例示的なエレベータシステムにおいて、少なくとも１つのガイドレールは、エレベータかごの２つの反対向きの面のそれぞれの近くに、少なくとも１つのガイドレールを配備している複数のガイドレールを備えており、機械取り付け台は、ガイドレールに対して概ね垂直なベースプレートを備えており、横材は、ベースプレートに概ね平行である。
【００１２】
上記エレベータシステムの１つ以上の特徴を有する１つの例示的なエレベータシステムにおいて、機械取り付け台は、ベッドプレートと、機械取り付け台を少なくとも１つのガイドレールに固定する少なくとも１つのブラケットと、を備えており、かご止めが第２の位置にあるとき、かご止めは、少なくとも１つのブラケットと接触するように設けられている。
【００１３】
上記エレベータシステムの１つ以上の特徴を有する１つの例示的なエレベータシステムは、エレベータかごの移動を制御する制御装置と、かご止めが第２の位置にあるときに制御装置に指示を提供するインジケータとを含んでいる。
【００１４】
上記エレベータシステムの１つ以上の特徴を有する１つの例示的なエレベータシステムにおいて、インジケータが指示を提供しているとき、制御装置は、エレベータかごを点検モードで移動させる。
【００１５】
上記エレベータシステムの１つ以上の特徴を有する１つの例示的なエレベータシステムにおいて、インジケータが指示を提供しているとき、制御装置は、エレベータかごが移動するのを防止する。
【００１６】
上記エレベータシステムの１つ以上の特徴を有する１つの例示的なエレベータシステムにおいて、エレベータかごは、昇降路の中にあり、かご止めは、エレベータかごに対して、昇降路の外にいる人がかご止めを第１の位置と第２の位置との間を手動で移動することができる位置にある。
【００１７】
上記エレベータシステムの１つ以上の特徴を有する１つの例示的なエレベータシステムは、かご止めが第１の位置にあるとき、防振部材がエレベータかごとかご止めとの間にあるような位置でかご止めに固定される防振部材を含んでいる。
【００１８】
開示した例示的実施形態のさまざまな特徴および利点は、当業者であれば後続の詳細な記述を読めば明らかになろう。以下、詳細な記述に添付する図面を簡単に説明する。
【図面の簡単な説明】
【００１９】
【図１】本発明の一実施形態によって設計されたかご止めを含む例示的なエレベータシステムの選択部分の概略図である。
【図２】かご止めが第１の位置にある、図１のシステムの選択部分の説明図である。
【図３】かご止めが第２の位置にある、図２に示した構成要素の説明図である。
【発明を実施するための形態】
【００２０】
図１は、本発明の例示的な実施形態によるエレベータシステム２０の選択部分を概略的に示している。図１に示すように、エレベータかご２２は、かご枠２６およびかご室２８を含んでいて、昇降路２４の中に可動的に取り付けられている。かご枠２６は、昇降路２４の中のガイドレール３０に沿って移動することができる。かご枠２６は、この例では片持ち式で支持されている。
【００２１】
エレベータかご２２は、機械３２によって移動され得るように載置される。機械３２は、エレベータかご２２を釣合いおもり３６に連結するロープまたはベルトなどの引張り／支持部材３４を動かすことによって、エレベータかご２２を移動することができる。機械３２は、昇降路２４の最上部付近に位置する機械取り付け台４０によって支持されている。図２および図３を見ればよく分かるように、機械取り付け台４０は、ベッドプレート４２および取り付けブラケット４４を含んでいる。ベッドプレート４２は、ガイドレール３０に対して概ね垂直に配置されており、ガイドレール３０の間に延在している。これらの図に示すように、ベッドプレートは、ガイドレール３０を越えて張り出していてもよい。ベッドプレート４２は、単一のプレートで構成されていてもよく、または複数のプレートで構成されていてもよい。取り付けブラケット４４は、機械取り付け台４０をガイドレール３０の最上端部付近でガイドレール３０に固定している。
【００２２】
かご止め５０は、エレベータかご２２の上で支持される。図２に示すように、かご止め５０には、エレベータかご２２が昇降路２４の中で移動するのを制限しない第１の位置がある。図示の第１の位置では、かご止め５０は、エレベータかご室２８の上面と実質的に平行に配置されている。
【００２３】
例示的かご止め５０は、脚５２および脚５２の間に延在する横材５４を含んでいる。この例の脚５２および横材５４はそれぞれ、溝形鋼、梁または管などの金属部分を備えている。
【００２４】
取り付け部材５６は、かご止め５０が、エレベータかご２２に対して、図２に示す第１の位置および図３に示す第２の位置の間を移動可能であるようにかご止め５０を支持している。この例では、かご止め５０は、エレベータかご室２８に対して枢支的に移動可能である。
【００２５】
図３に示す第２の位置において、かご止めは、エレベータかご２２の上下移動を制限するために機械取り付け台４０の一部に接触するように構成されている。この位置では、かご止め５０は、エレベータかご室２８が昇降路２４の最上部に到達するのを防止する。エレベータかご室２８が昇降路２４の最上部に到達するのを防止することによって、かご止め５０は、エレベータかご室２８の上面とエレベータかご室２８の上方の昇降路天井５７（図１に示す）との間に所望の量の空間を確実に形成する。この空間を物理的に維持することによって、本発明のこの例示的な実施形態によるエレベータシステムは、昇降路２４の中のかご２８の上面の上で作業するどのような技術者の安全も保証することができる。機械３２がかご室２８を昇降路２４の最上部まで上昇させようとする場合であっても、かご止め５０は、ある点を過ぎた移動を物理的に防止する。かご止め５０によって提供される物理的障壁は、機械３２の力では乗り越えることができない。
【００２６】
図示の例では、横材５４は、機械取り付け台４０の表面６０に接触する接触面５８を含んでいる。この例では、接触面６０は、取り付けブラケット４４の上にある。別の例では、接触面６０は、ベッドプレート４２の上にある。この例では、横材５４の接触面５８は、横材５４の他の部分とは可視的に異なるパッドを含んでいる。接触面５８上のパッドの可視態様は、かご止め５０が第２の位置にあるとき、かご止め５０が機械取り付け台４０に接触する位置の可視的な表示を個人に提供する。この特徴は、人がエレベータかご室２８の上面の上にいるとき、ピンチポイントを回避する助けになる。さらなる実施形態において、パッドは、パッドに注意を促す助けとなるように鮮やかに彩色されていても、またはメッセージが付されていてもよい。
【００２７】
図示の例は、さらに、横材５４または脚５２の内の少なくとも１つの上に防振パッド５９を含んでいる。防振パッド５９は、エレベータかご室２８の上面に面するように位置していて、かご止め５０が図２に示す第１の位置にある状態でエレベータかご２２が移動する際に発生する可能性のある何らかの振動または雑音を減らすまたは最小化する。
【００２８】
図３を見れば分かるように、かご止め５０が第２の位置にあるとき、脚５２は、概ね垂直位置にあり、横材５４は、概ね水平である。脚５２は、接触面５８と接触面６０との間の何らかの予想される衝撃に構造的に耐えることができる。この例の取り付け部材５６は、かご止め５０と機械取り付け台４０との間の何らかの接触に関連する力をかご枠２６の他の部分に伝達することを促進する。
【００２９】
図示の例において、脚５２の少なくとも１つは、電子スイッチなどのインジケータ６４と協働する位置指示形体６２を含んでいる。インジケータ６４は、かご止め５０の位置の指示を提供する。インジケータ６４は、機械３２の作動を制御する役割を果たす制御装置７０に指示を提供する。１つの例では、インジケータ６４が、かご止め５０が図３に示す第２の位置にあるという指示を提供しているときには必ず、制御装置７０は、機械３２がエレベータかご２２を移動するのを防止する。別の例では、インジケータ６４が、かごが図２に示すように第１の位置にあるという指示を提供していないときには必ず、制御装置７０は、機械３２がエレベータかご２２を移動するのを防止する。別の例では、制御装置７０によって、機械３２は、かご止め５０が第２の位置にあるというインジケータ６４からの指示に応答して点検モードで作動することができる。
【００３０】
少なくとも１つの掛け金または係止部材７２は、かご止め５０を第２の位置に保持することを容易にする。この例では、掛け金または係止部材７２は、取り付け部材５６のそれぞれに付帯されている。
【００３１】
かご止め５０は、図３に示す第２の位置にあるときには、ある鉛直高さを有している。その鉛直高さが、エレベータかご室２８の上面の上方で所望の空間の一部を確定する。所望の空間距離は、エレベータかご室２８上方の天井５７と機械取り付け台４０の接触面６０との間の距離と、かご止め５０の鉛直高さと、の合計に等しい。
【００３２】
図示例の１つの特徴は、エレベータかごのさらなる上昇移動を防止するのに昇降路天井の物理的強度に依存していた以前の装置では必要であったような、エレベータかご上方の天井構造を補強することが必要ではないことである。その代わりに、開示するシステムの例示的な実施形態は、エレベータかご２２のさらなる上昇移動を防止するのに、かご室２８の上面、かご止め５０、接触面６０、取り付けブラケット４４および機械取り付け台４０の間の物理的接触に依存しており、このことにより、エレベータかご上方に所望の空間を確保することができる。かご止め５０と機械取り付け台４０との接触を利用することで、昇降路天井を含む昇降路構造の構成および設計において、費用効率が改善されるとともに誤りが起きにくくなる。上記の開示した例示的実施形態は、繰り返し物理的構成要素に依存するものであるが、この開示の恩恵を受ける当業者であれば、本発明の範囲および趣旨の範囲内で、物理的構成要素のいくつかを修正することや、除去することさえ可能であることを理解するであろう。
【００３３】
例示的な実施形態の別の特徴は、かご止め５０が、エレベータかご室２８の上面の上で、昇降路２４の外にいる人が接近し易い位置にあることである。例えば、昇降路２４に沿った最上の着床時に昇降路開口部を通ってエレベータかご室２８の上面に接近可能なように、整備員は、昇降路２４の中でエレベータかご２２を配置し得る。整備員が昇降路に入る前に、整備員は、昇降路の中に手を入れて、かご止め５０を第１の位置（図２に示す）から第２の位置（図３に示す）に手動で操作することができる。これにより、整備員が昇降路に入る必要がある前に、エレベータかご室２８の上方の所望の空間を、整備員が利用可能であることが確実になり、また人が昇降路に入ったあとで、しかも人が安全装置を作動させることができる前に、エレベータかごが所望の上方制限を越えて移動し得る状況を防止する。
【００３４】
以上の記述は例示的であり、本質的に制限するためのものではない。開示した例に本発明の本質から必ずしも逸脱しない変形および変更を加えることは、当業者には明らかとなるであろう。
【図１】
0005877909.tif 000002
【図２】
0005877909.tif 000003
【図３】
0005877909.tif 000004